(57)【要約】【課題】製品の股間部域Ｋからの尿漏れが確実に防止され、しかも製品の着用者に対する締め付けも強くない紙おむつとする。【解決手段】外装シート５に次の軌跡を描く弾性伸縮部材１０を伸長固定する。腹部域Ｆにおいて、外装シート５の一方側縁から吸収コア３に向かい（１１）、この向かった先で幅方向内方に膨らんだ内曲線を描いて股間部域Ｋに向かう（１２）。この股間部域Ｋにおいては、吸収コア３の側方で幅方向外方側に膨らんだ外曲線を描いて（１３）、外装シート５の他方側縁に向かう（１４）。以上の軌跡は、幅方向中心線Ｃを挟んで対称とする。【選択図】図６
2008245841.tif 000002
【特許請求の範囲】
【請求項１】
透液性のトップシートと、この裏面側に積層された吸収コアと、が備わる本体部を有し、この本体部の裏面側が製品の外面となる外装シートで覆われ、
前記本体部は、前記製品の幅方向中央部域に配置された、紙おむつであって、
前記本体部の少なくとも前記吸収コアは、前記製品の腹部域から股間部域にかけて配置され、
前記外装シートには、次の軌跡を描く弾性伸縮部材が、この軌跡の方向に伸長した状態で固定されて、設けられている、ことを特徴とする紙おむつ。
（軌跡）
前記製品の腹部域において、前記外装シートの一方側縁から前記吸収コアに向かい、この向かった先で幅方向内方に膨らんだ内曲線を描いて前記製品の股間部域に向かう。この製品の股間部域においては、前記吸収コアの側方で幅方向外方側に膨らんだ外曲線を描いて前記外装シートの他方側縁に向かう。以上の軌跡は、前記製品の幅方向中心線を挟んで対称となっている。
【請求項２】
前記吸収コアには、
前記製品の腹部域にあっては幅方向中央部に、前記製品の股間部域にあっては両側部に、それぞれ背腹方向に延びる薄肉部が形成されている、請求項１記載の紙おむつ。
【請求項３】
前記内曲線を描いて製品の股間部域に向かう軌跡は、
前記内曲線を描く部分と、
この部分に続き、前記製品の股間部域に向かうにしたがって前記製品の幅方向中心側に向かう直線を描く部分と、を有する、請求項１又は請求項２記載の紙おむつ。
【請求項４】
前記弾性伸縮部材は、複数本の糸状の部材で構成され、
この糸状の部材は、前記製品の腹部域において、前記外装シートに固定された状態で切断されている、請求項１〜３のいずれか１項に記載の紙おむつ。
【請求項５】
前記弾性伸縮部材は、複数本の糸状の部材で構成され、
この糸状の部材は、前記製品の股間部域において、前記吸収コアと重なる部分、又はこの部分及びこの部分の両側方の近傍が、前記外装シートに固定された状態で切断されている、請求項１〜４のいずれか１項に記載の紙おむつ。
【請求項６】
前記弾性伸縮部材は、複数本の糸状の部材が並んで配置された構成とされ、
この複数本の糸状の部材のうち背側に配置されたものは、前記外装シートの他方側縁に向かう軌跡が、前記吸収コアよりも背側を通る、請求項１〜５のいずれか１項に記載の紙おむつ。
【請求項７】
前記弾性伸縮部材は、複数本の糸状の部材が並んで配置された構成とされ、
この複数本の糸状の部材のうち腹側に配置されたものは、前記外装シートの他方側縁に向かう軌跡が、前記製品の腹部域と股間部域との境界近くを通り、
かつ、背腹方向に相互に隣接する糸状の部材の離間距離は、前記腹側及び前記背側に配置された糸状の部材の方が、これらの間に配置された糸状の部材よりも短くされている、請求項６記載の紙おむつ。
【請求項８】
前記内曲線を描いて製品の股間部域に向かう軌跡は、前記吸収コアと重ならない、請求項１〜７のいずれか１項に記載の紙おむつ。
【発明の詳細な説明】
【技術分野】
【０００１】
本発明は、紙おむつに関するものである。特に、成人男性用とする場合に好ましい紙おむつに関するものである。
【背景技術】
【０００２】
この種の通常使い捨てされる紙おむつは、従来から汎用されており、例えば、透液性の表面シートとこの表面シートの裏面側に積層された吸収コアとが備わる本体部を有し、この本体部の裏面側が製品の外面となる外装シートで覆われている。そして、通常、本体部は、製品（紙おむつ）の幅方向中央部域に配置されている。
この種の紙おむつは、現在においても、尿漏れの防止効果を向上させようと、さまざまな研究・開発がされ続けている。具体的には、例えば、「外装シートに、背腹方向両端部は吸収コアの側縁外方を通り、背腹方向中央部は吸収コアの側縁内方を通るように湾曲した軌跡の脚周り用弾性伸縮部材が、かかる軌跡の方向に伸長した状態で固定されて、設けられており、この脚周り用弾性伸縮部材よりも幅方向外方の吸収コアが、着用時に裏面側に屈曲する形態の紙おむつ」がある（例えば、特許文献１参照。）。この紙おむつは、脚周りからの尿漏れを確実に防止することができるとされている。また、例えば、「レッグ開口縁に沿って脚周り用弾性糸が添設された外装シートに、レッグ開口縁に沿って脚周り用弾性糸が添設された内装シートが接合され、この内装シートの脚周り用弾性糸が外装シートの脚周り用弾性糸の途切れ部分を補完した形態の紙おむつ」もある（例えば、特許文献２参照。）。この紙おむつは、尿の横漏れ防止効果が格段に向上するとされている。さらに、例えば、「臀部域に臀部用弾性部材を背部域の両側縁部から脚周り部に向けて傾斜状に配設し、また、臀部用弾性部材の伸長応力を、背周り用弾性部材、腹周り用弾性部材及び脚回り用弾性部材よりも小さくした形態の紙おむつ」もある（例えば、特許文献３参照。）。この紙おむつは、各弾性部材によっておむつ全体が着用者の肌に密着してずれが防止され、また、尿等の漏れが防止され、さらに、臀部用弾性部材によって着用者の臀部が必要以上に圧迫されず、着用した際の違和感が生じない良好な着用感が得られるとされている。
以上の形態の紙おむつは、いずれもその基本的思想が「外装シートに伸長固定する弾性伸縮部材によって製品表面と着用者の肌とを密着させ、もって漏れ防止効果の向上を図る」ことにある。しかしながら、外装シートの表面側には吸収コアが備わり、この吸収コアは、吸収容量を確保するために、ある程度の剛性を有するものとなる。したがって、特に着用者が成人男性である場合においては、着用者の陰茎・陰嚢と表面シート等を介して接する吸収コアが、その周端部において、陰茎・陰嚢周りの部位、特にそけい部から浮き上がった状態になるため、製品の股間部域から尿漏れが生じるおそれがある。もちろん、外装シートに伸長固定する弾性伸縮部材の伸縮力を強くして吸収コア周端部を着用者側に押さえ付けることも考えられるが、これでは製品の着用者に対する締め付けも強くなるため、着用感が低下する。
【特許文献１】特開２００２−３６０６２９号公報
【特許文献２】特開２００１−３７８０８号公報
【特許文献３】特開２００４−２０１７９４号公報
【発明の開示】
【発明が解決しようとする課題】
【０００３】
本発明が解決しようとする主たる課題は、製品の股間部域からの尿漏れが確実に防止され、しかも製品の着用者に対する締め付けも強くない紙おむつを提供することにある。
【課題を解決するための手段】
【０００４】
この課題を解決した本発明は、次のとおりである。
〔請求項１記載の発明〕
透液性のトップシートと、この裏面側に積層された吸収コアと、が備わる本体部を有し、この本体部の裏面側が製品の外面となる外装シートで覆われ、
前記本体部は、前記製品の幅方向中央部域に配置された、紙おむつであって、
前記本体部の少なくとも前記吸収コアは、前記製品の腹部域から股間部域にかけて配置され、
前記外装シートには、次の軌跡を描く弾性伸縮部材が、この軌跡の方向に伸長した状態で固定されて、設けられている、ことを特徴とする紙おむつ。
（軌跡）
前記製品の腹部域において、前記外装シートの一方側縁から前記吸収コアに向かい、この向かった先で幅方向内方に膨らんだ内曲線を描いて前記製品の股間部域に向かう。この製品の股間部域においては、前記吸収コアの側方で幅方向外方側に膨らんだ外曲線を描いて前記外装シートの他方側縁に向かう。以上の軌跡は、前記製品の幅方向中心線を挟んで対称となっている。
【０００５】
〔請求項２記載の発明〕
前記吸収コアには、
前記製品の腹部域にあっては幅方向中央部に、前記製品の股間部域にあっては両側部に、それぞれ背腹方向に延びる薄肉部が形成されている、請求項１記載の紙おむつ。
【０００６】
〔請求項３記載の発明〕
前記内曲線を描いて製品の股間部域に向かう軌跡は、
前記内曲線を描く部分と、
この部分に続き、前記製品の股間部域に向かうにしたがって前記製品の幅方向中心側に向かう直線を描く部分と、を有する、請求項１又は請求項２記載の紙おむつ。
【０００７】
〔請求項４記載の発明〕
前記弾性伸縮部材は、複数本の糸状の部材で構成され、
この糸状の部材は、前記製品の腹部域において、前記外装シートに固定された状態で切断されている、請求項１〜３のいずれか１項に記載の紙おむつ。
【０００８】
〔請求項５記載の発明〕
前記弾性伸縮部材は、複数本の糸状の部材で構成され、
この糸状の部材は、前記製品の股間部域において、前記吸収コアと重なる部分、又はこの部分及びこの部分の両側方の近傍が、前記外装シートに固定された状態で切断されている、請求項１〜４のいずれか１項に記載の紙おむつ。
【０００９】
〔請求項６記載の発明〕
前記弾性伸縮部材は、複数本の糸状の部材が並んで配置された構成とされ、
この複数本の糸状の部材のうち背側に配置されたものは、前記外装シートの他方側縁に向かう軌跡が、前記吸収コアよりも背側を通る、請求項１〜５のいずれか１項に記載の紙おむつ。
【００１０】
〔請求項７記載の発明〕
前記弾性伸縮部材は、複数本の糸状の部材が並んで配置された構成とされ、
この複数本の糸状の部材のうち腹側に配置されたものは、前記外装シートの他方側縁に向かう軌跡が、前記製品の腹部域と股間部域との境界近くを通り、
かつ、背腹方向に相互に隣接する糸状の部材の離間距離は、前記腹側及び前記背側に配置された糸状の部材の方が、これらの間に配置された糸状の部材よりも短くされている、請求項６記載の紙おむつ。
【００１１】
〔請求項８記載の発明〕
前記内曲線を描いて製品の股間部域に向かう軌跡は、前記吸収コアと重ならない、請求項１〜７のいずれか１項に記載の紙おむつ。
【発明の効果】
【００１２】
本発明によると、製品の股間部域からの尿漏れが確実に防止され、しかも製品の着用者に対する締め付けも強くない紙おむつとなる。
【発明を実施するための最良の形態】
【００１３】
次に、本発明の実施の形態を説明する。なお、以下では、紙おむつが「パンツ型の使い捨て紙おむつ」である場合を例に説明するが、本発明は、紙おむつが「止着テープ型の使い捨て紙おむつ」である場合等にも適用可能である。
【００１４】
〔基本的構造〕
本形態の紙おむつＴについて、図１に展開状態の平面図を、図２に製品状態の正面図を、それぞれ示した。
本形態の紙おむつＴは、本体部Ｈを有し、この本体部Ｈの裏面側が、長方形状や砂時計形状等とされた、図示例では砂時計形状とされた、製品の外面となる外装シート５で覆われている。本体部Ｈは、製品の幅方向中央部域（後述するように、本形態では、外装シート５が製品の外形を規定するため、製品の幅方向中央部域は、外装シート５の幅方向中央部域と一致する。）に、適宜ホットメルト接着剤等で固定される等して、配置されている。
【００１５】
本形態において、外装シート５は、紙おむつＴの外面全体に及んで製品の外形を規定するものであり、通常、連続シートで形成される。外装シート５は、１枚の不織布等からなるシートで形成されていても、２枚、３枚、４枚又はそれ以上の複数枚のシートを積層した積層シートで形成されていてもよい。本形態では、２枚のシートを積層した積層シートで形成されている（図３参照）。
【００１６】
この外装シート５は、ムレ防止等の観点から、不透液性（撥水性）を有するものの、通気性も有するのが好ましい。外装シート５の素材は、特に限定されない。例えば、ポリプロピレン主体の熱融着繊維及びレーヨン繊維を混綿したレーヨンスパンレース不織布と、ウレタンやイソプレンゴム系の材料を主体とするメルトブロー不織布と、を熱融着、超音波接合、ホットメルト接着剤等の接着剤による接合等をして一体化したものを、用いることができる。この素材を用いる場合においては、前者の不織布（レーヨンスパンレース不織布）が着用者側（肌側）となるようにするのが好ましい。本形態においては、外装シート５の表面側（肌面側）に、不透液性の裏面シート２が設けられており、尿等の体液の裏抜けが防止されている。したがって、外装シート５自体は、透液性であってもよい。
【００１７】
外装シート５は、本体部Ｈを積層固定した後、最終製造工程等において、図２に示すように、腹部域Ｆの両側縁部と背部域Ｂの両側縁部とを、背腹方向（腹部域Ｆと背部域Ｂとを結ぶ方向）全長にわたって、熱融着、熱圧着、超音波シール、ホットメルト等の接着剤による接着等によって接合する。これにより、ウエスト開口部ＷＯ及び左右一対のレッグ開口部ＬＯが形成された製品状態の紙おむつＴとなる。図２においては、外装シート５の腹部域Ｆの両側縁部と背部域Ｂの両側縁部との接合部を、符号２９で示している。
【００１８】
なお、本明細書においては、ウエスト開口部ＷＯの縁を「ウエスト開口縁」と、レッグ開口部ＬＯの縁を「レッグ開口縁」といい、このレッグ開口縁と接合部２９とが交差する位置、すなわちレッグ開口縁の始まり位置を「レッグ開口始端」という。そして、ウエスト開口縁からレッグ開口始端までの領域を、前身頃においては製品の「腹部域」Ｆ（本形態では、外装シート５が製品の外形を規定するため、製品の腹部域は、外装シート５の腹部域と一致する。）と、後身頃においては製品の「背部域」Ｂ（本形態では、外装シート５が製品の外形を規定するため、製品の背部域は、外装シート５の背部域と一致する。）という。また、レッグ開口部ＬＯを有する領域、すなわち前身頃側のレッグ開口始端から後身頃側のレッグ開口始端までの領域を製品の「股間部域」Ｋ（本形態では、外装シート５が製品の外形を規定するため、製品の股間部域は、外装シート５の股間部域と一致する。）という。
【００１９】
本形態において、腹部域Ｆ及び背部域Ｂは、図１及び図２に示すように、それぞれ製品状態において上側に位置するウエスト部Ｗ１と、このウエスト部Ｗ１の下側に位置する腰下部Ｗ２という概念で区別することができる。これらウエスト部Ｗ１及び腰下部Ｗ２の背腹方向の長さは、製品のサイズによっても異なるが、製品の背腹方向の長さが１６０〜３５０ｍｍの場合は、ウエスト部Ｗ１が１０〜５０ｍｍ、腰下部Ｗ２が１５０〜３００ｍｍであると好ましい。
【００２０】
そして、外装シート５には、１枚のシートで形成される場合は裏面（外面）に、複数枚のシートで形成される場合はシート間に、幅方向に沿った軌跡を描く弾性伸縮部材２１，２２…が、この軌跡の方向に伸長した状態で固定されて、設けられている。より詳細には、ウエスト部Ｗ１においては、ウエスト開口縁のフィット性を高めるための弾性伸縮部材２１が、１本又は複数本、図示例では複数本、並行して設けられている。また、腰下部Ｗ２においては、腰下部周りのフィット性を高め、尿の前後漏れを軽減するための弾性伸縮部材２２が、１本又は複数本、図示例では複数本、並行して設けられている。この弾性伸縮部材２１，２２としては、例えば、適宜の太さ及び断面形状を有する天然又は合成の糸状ゴム、帯状ゴム等を用いることができる。ただし、図示例のように、背腹方向に相互に隣接する弾性伸縮部材２１，２２…の離間距離は、腰下部Ｗ２におけるよりもウエスト部Ｗ１における方が短い方が好ましい。また、弾性伸縮部材２２は、本体部Ｈと、特にある程度の剛性を有する吸収コア３と重なる部分が、外装シート５に固定された状態において切断され、もって伸縮力が弱められているのも好ましい。
【００２１】
本形態において、外装シート５には、図１及び図２においては省略したが、以上の弾性伸縮部材２１，２２のほかに、弾性伸縮部材１０が設けられている（例えば、図６参照。）。この弾性伸縮部材１０については、後で詳しく説明する。
【００２２】
一方、本体部Ｈは、図３に示すように、不織布や多孔フィルムなどからなる長方形状、砂時計形状等の形状とされた着用者の肌に直接触れる透液性の表面シート１と、この表面シート１の裏面側に積層され、高分子吸収性ポリマーが添加された積繊パルプ等からなり、長方形状や砂時計形状等の形状とされた、図示例では腹部域Ｆ側から股間部域Ｋ側に向かって先細とされたある程度の剛性を有する吸収コア３と、この吸収コア３の裏面側に積層された、ポリエチレンシートやポリラミ不織布、ミクロボイドを形成して蒸気は透過するが液は透過しないシート等からなる不透液性の裏面シート２と、が備わる。図示例では、吸収コア３は、ティシュペーパーやクレープ紙等からなる被覆シート４で被覆されて、形状保持が図られている。被覆シート４は、透液性であれば足り、その素材は特に限定されない。例えば、表面シート１として例示したのと同様の素材を用いることができる。具体的には、例えば、ティシュペーパー等の衛生薄葉紙、クレープ紙、不織布、孔開きシート等を用いることができる。また、図示はしないが、透液性の表面シート１の下には、不織布等からなるセカンドシートを設け、体液拡散性の向上を図ることもできる。このセカンドシートは、体液拡散性・透液性を有するものであれば足り、例えば、表面シート１と同様の素材等を用いることができる。ただし、例えば、スパンレース、パルプ不織布、パルプとレーヨンとの混合シート、ポイントボンド又はクレープ紙であると、好ましい。また、セカンドシートは、表面シート１よりも透液性が高いものが好ましく、表面シート１よりも繊維密度が小さい、例えば、ポリプロピレン、ポリエチレン、ポリエチレンテレフタレート、ポリアミド、ナイロン、レーヨン、ビニロン、アクリル等からなる不織布であるのがより好ましい。
【００２３】
一方、裏面シート２は、不透液性であれば足り、その素材としては、例えば、ポリエチレン（ＰＥ）やポリプロピレン（ＰＰ）等のオレフィン系樹脂や、ポリエチレンシート等に不織布を積層したラミネート不織布、防水フィルムを介在させて実質的に不透液性を確保した不織布（この場合は、防水フィルムと不織布とで不透液性の裏面シート２が構成される。）等を用いることができる。もちろん、この他にも、近年、ムレ防止の観点から好まれて使用されている不透液性かつ透湿性を有する素材も用いることができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００２４】
また、吸収コア３がいかなる材料によって形成されているかも、特に限定されない。吸収コア３としては、例えば、フラッフ状のパルプ繊維集合体（積繊パルプ）内に、粒状の高分子吸収性ポリマーが混入されてなるもの等を、用いることができる。かかる高分子吸収性ポリマーとしては、自重の例えば１０倍以上の体液を吸収して保持するものを使用することができる。この例としては、でんぷん系や、セルロース系、合成ポリマー系等のものがあり、でんぷん‐アクリル酸（塩）グラフト共重合体、でんぷん‐アクリロニトリル共重合体のケン化物、ナトリウムカルボキシメチルセルロースの架橋物やアクリル酸（塩）重合体等のものを用いることができる。高分子吸収性ポリマーの形状としては、通常用いられる粉粒体状のものが好適であるが、他の形状のものも用いることができる。
【００２５】
積繊パルプや高分子吸収性ポリマー等の量的配置、密度分布は、汎用を目的とする場合には均一であるのが好ましいが、特別の吸収特性を発揮させることを目的とする場合は、その目的に応じて偏らせるのが好ましい。
【００２６】
一方、積繊パルプの原料素材は、特に限定されない。例えば、綿状パルプや合成パルプ等の公知の素材を用いることができる。また、パルプの原料繊維は特に限定されず、例えば、機械パルプ、化学パルプ、溶解パルプ等の木材から得られるセルロース繊維や、レーヨン、アセテート等の人工セルロース繊維等を用いることができる。ただし、セルロース繊維の原材料となる木材は、広葉樹より針葉樹の方が、繊維長が長いため、機能及び価格の面で好ましい。
【００２７】
ところで、図３の（１）及び（２）から明らかなように、本形態の紙おむつＴは、少なくともある程度の剛性を有する吸収コア３が、本形態では本体部Ｈが、外装シート５（製品）の腹部域Ｆから股間部域Ｋにかけて配置されており、背部域Ｂには配置されていない形態となっている。この形態は、紙おむつＴを成人男性用とする場合に特に好適である。男性用とする場合は、本体部Ｈを腹部域Ｆから股間部域Ｋにかけて延在させておけば、尿を十分に吸収させることができる。他方、背部域Ｂに本体部Ｈ、特にある程度の剛性を有する吸収コア３を配置しないことで、背部域Ｂが薄くなるため、着用者の装着違和感が軽減され、また、着用者の動きが阻害されにくくなる。
【００２８】
本形態において、表面シート１は、透液性であれば足りる。したがって、例えば、有孔又は無孔の不織布や、多孔性プラスチックシート等を用いることができる。また、これらのうち不織布は、その原料繊維が何であるかが、特に限定されない。例えば、ポリエチレン（ＰＥ）やポリプロピレン（ＰＰ）等のオレフィン系、ポリエステル系、ポリアミド系等の合成繊維、レーヨンやキュプラ等の再生繊維、綿等の天然繊維等や、これらから二種以上が使用された混合繊維などを用いることができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を採用することができる。例えば、柔軟性、ドレープ性を求めるのであれば、スパンレース法が、嵩高性、ソフト性を求めるのであれば、サーマルボンド法が、好ましい加工方法である。
【００２９】
他方、図４及び図５に示すように、本体部Ｈの両側部には、起立ギャザー３０を設けることができる。この立体ギャザー３０は、背腹方向に沿って配置され、かつ幅方向外側端部が固定された、本形態では、表面シート１の側端部と裏面シート２の側端部との間に挟まれて、ホットメルト接着剤等によって接合固定された、帯状のギャザーシート３１と、このギャザーシート３１の幅方向内側端部に、本形態では、折り返して二重とされたギャザーシート３１の間に、背腹方向に沿って、この方向に伸長した状態で固定されて設けられた、例えば、適宜の太さ及び断面形状を有する天然又は合成の糸状ゴム、帯状ゴム等からなる単数又は複数の起立用弾性伸縮部材３２と、が備わる。そして、本起立ギャザー３０は、起立用弾性伸縮部材３２の収縮によってギャザーシート３１の幅方向内側端部が表面シート１から浮き上がるようになっている。
【００３０】
ここで、起立用弾性部伸縮部材３２は、尿と接すると収縮するものであるのが好ましい。この形態によると、排尿があった場合において、起立用弾性伸縮部材３２が収縮し、ギャザーシート３１の起立が高まる。したがって、尿等の横漏れ防止効果が向上する。
【００３１】
ギャザーシート３１としては、例えば、ＰＥ、ＰＰ（不織布）等をスパンボンド、ＳＭＳ、ポイントボンド、エアスルー、エアーポイント等によって製造したものを用いることができ、特にＳＭＳ、スパンボンドによって製造したものを用いるのが好ましい。
【００３２】
〔特徴的構造〕
次に、本実施の形態の特徴的な構造について、説明する。
本形態においては、前述したとおり、外装シート５に弾性伸縮部材１０が設けられている。そして、この弾性伸縮部材１０は、次の軌跡を描き、この軌跡の方向に伸長した状態で外装シート５に固定されて、設けられていることを特徴とする。
（弾性伸縮部材１０の軌跡）
弾性伸縮部材１０は、図６に示すように、外装シート（製品）５の腹部域Ｆにおいて、外装シート５の一方側縁（２９）から吸収コア３に向かい（この軌跡の部分の弾性伸縮部材１０は符号１１としても示す。）、この向かった先で幅方向内方に膨らんだ内曲線を描いて外装シート（製品）５の股間部域Ｋに向かう（この軌跡の部分の弾性伸縮部材１０は符号１２としても示す。）。この製品の股間部域Ｋにおいては、吸収コア３の側方で幅方向外方側に膨らんだ外曲線を描いて（この軌跡の部分の弾性伸縮部材１０は符号１３としても示す。）、外装シート５の他方側縁（２９）に向かう（この軌跡の部分の弾性伸縮部材１０は符号１４としても示す。）。以上の軌跡は、外装シート（製品）５の幅方向中心線Ｃを挟んで対称となっている。
【００３３】
このような軌跡を描くように弾性伸縮部材１０を伸長固定することによる作用効果は、次のとおりである。
まず、弾性伸縮部材１０の符号１２で示す部分によって、内曲線の内方（幅方向外方）への収縮力Ｘが働き、この収縮力Ｘによって、腹部域Ｆにおける外装シート５及び吸収コア３の両側部が、幅方向外方に引っ張られる。これにより、図１０の（２）に示すように、吸収コア３の両側部Ｓが着用者側（表面側）に押さえ付けられ、製品表面と着用者の肌との密着性が増し、もって尿漏れ防止効果が向上する。この点、先には、外装シート５に伸長固定する弾性伸縮部材の伸縮力を強くして吸収コア３の周端部（側部Ｓも周端部の一部である。）を着用者側に押さえ付けると、製品の着用者に対する締め付けも強くなってしまい、好ましくないとした。しかしながら、収縮力Ｘによる作用効果は、腹部域Ｆ、すなわち陰茎・陰嚢による浮き上がりがそれほど大きくない領域における密着性の問題である。したがって、弾性伸縮部材１０（１１）の伸縮力を強くする必要があるわけではなく、着用者に対する締め付けは、問題とならない。むしろ、伸縮力Ｘは、腹部域Ｆにおける吸収コア３の腹側端部から背側端部まで均等に作用し、かかる部分が着用者の肌に均等に密着することになるので好ましい。
【００３４】
一方、弾性伸縮部材１０の符号１３で示す部分によって、外曲線の内方（幅方向内方）への収縮力Ｙが働き、この収縮力Ｙによって、股間部域Ｋにおける吸収コア３の両側部が、幅方向中央線Ｃに向かって押される。これにより、吸収コア３は幅方向両外方から挟み込まれた状態になるため、図１１の（２）に示すように、吸収コア３は、裏面側にカップ状に膨らみ、このカップ内に陰茎・陰嚢が納まることになる。したがって、吸収コア３がその周端部において、陰茎・陰嚢周りの部位、特にそけい部から浮き上がった状態になるとの問題が解消され、製品の股間部域Ｋからの尿漏れが確実に防止される。
【００３５】
なお、吸収コア３は、製品の構造状、弾性伸縮部材１０が存在しない場合においても、製品状態においては、わずかではあるが裏面側に膨らんだ形状になっているため、収縮力Ｙが働いたときに、表面側にカップ状に膨らんでしまうおそれはない。
【００３６】
以上のほか、弾性伸縮部材１０による効果としては、符号１１で示す部分によって、腹部域Ｆのフィット性が、符号１４で示す部分によって、股間部域Ｋのフィット性が、それぞれ高められる。
【００３７】
ところで、本実施の形態においては、図１０の（１）及び図１１の（１）に示すように、吸収コア３に、製品の腹部域Ｆ、図示例では、腰下部Ｗ２にあっては幅方向中央部に、背腹方向に延びるスリット、エンボス等からなる薄肉部Ｕ１が形成され、また、製品の股間部域Ｋにあっては両側部に、それぞれ背腹方向に延びるスリット、エンボス等からなる薄肉部Ｕ２が形成されている。そして、薄肉部Ｕ１，Ｕ２においては、当然、吸収コア３が屈曲しやすく、伸縮力Ｘ，Ｙが働いた際には、図１０の（２）や図１１の（２）に示すように、薄肉部Ｕ１，Ｕ２で屈曲することになるため、腹部域Ｆにおいては、吸収コア３の両側部Ｓのフィット性が向上し、また、股間部域Ｋにおいては、吸収コア３が確実にカップ状になる。
【００３８】
ここで、股間部域Ｋにおける両薄肉部Ｕ２の離間距離Ｌは、特に限定されないが、腹側端部において、通常４０〜９０ｍｍ、好ましくは６０〜８０ｍｍ、背側端部において、通常２０〜７０ｍｍ、好ましくは３０〜５０ｍｍである。この離間距離Ｌによって、吸収コア３によって形成されるカップの幅方向の広さが決まる。また、股間部域Ｋにおける吸収コア３の側縁から薄肉部Ｕ２までの距離Ｑは、通常５〜５０ｍｍ、好ましくは１０〜３０ｍｍである。この距離Ｑによって、吸収コア３によって形成されるカップの深さが決まる。一方、各薄肉部Ｕ１，Ｕ２の幅Ｍは、屈曲のしやすさという観点から適宜決定することができるが、例えば、吸収コア３の厚さＮが２〜１０ｍｍの場合においては、通常２〜２０ｍｍ、好ましくは５〜１５ｍｍである。
【００３９】
以上の形態においては、弾性伸縮部材１０の符号１２で示す部分が、単に「内曲線を描いて製品の股間部域Ｋに向かう」とした。したがって、例えば、符号１２で示す部分全体が、内曲線を描く形態をも含む。もちろん、これに限定されるものではなく、例えば、図７に示すように、符号１２で示す部分（内曲線を描いて製品の股間部域Ｋに向かう軌跡）が、内曲線を描く部分（符号１６で示す）と、この部分１６に続き、製品の股間部域Ｋに向かうにしたがって製品の幅方向中心側に向かう直線を描く部分（符号１５で示す）と、を有する形態も含む。この形態によると、弾性伸縮部材１０の符号１５で示す部分（直線部分）によって、着用者のそけい部に沿う収縮力Ｚが働き、この収縮力Ｚによって、外装シート５、更には吸収コア３の側端部が、着用者のそけい部に密着することになる。したがって、例えば、仰向け寝の状態において排尿があった場合等においても、尿がそけい部上を流れて腹部域Ｆから漏れることがない。
【００４０】
本形態において、弾性伸縮部材１０は、その素材が特に限定されず、例えば、適宜の太さ及び断面形状を有する天然又は合成の糸状ゴム、帯状ゴム等を用いることができる。ただし、弾性伸縮部材１０は、図８に示すように、複数本の糸状ゴム等の糸状の部材で構成され、この糸状の部材は、製品の腹部域Ｋにおいて、外装シート５に固定された状態で切断されているのが好ましい。一般に、腹部域Ｆにおける吸収コア３の両側部Ｓを引っ張るために要求される弾性伸縮部材１０（１２）の収縮力や、股間部域Ｋにおける吸収コア３の両側部Ｓを幅方向中心線Ｃに向かって押すために要求される弾性伸縮部材１０（１３）の収縮力に比較して、腹部域Ｆのフィット性向上のために要求される弾性伸縮部材１０（１１）の収縮力は、弱くて足りる。したがって、弾性伸縮部材１０を複数本の糸状の部材で構成し、腹部域Ｆにおいては、例えば、その一部の糸状の部材を外装シート５に固定された状態で切断すれば、腹部域Ｆにおける収縮力が弱くなって好ましいものとなる。
【００４１】
また、図８に示すように、弾性伸縮部材１０の符号１２で示す部分（内曲線を描いて製品の股間部域Ｋに向かう軌跡の部分）は、吸収コア３の側部Ｓに重なっていてもよいが、先に示した形態（図６、図７参照）のように、吸収コア３の側部Ｓに重なっていない方が好ましい。吸収コア３がよれるのを防止するためである。
【００４２】
一方、以上のように弾性伸縮部材１０が複数本の糸状の部材で構成されている場合においては、この糸状の部材が、製品の股間部域Ｋにおいて、吸収コア３と重なる部分、又はこの部分及びこの部分の両側方の近傍が、外装シート５に固定された状態で切断されているのも好ましい。吸収コア３と重なる部分においては、弾性伸縮部材１０による収縮力が必要とならず、むしろ収縮によって吸収コア３がよれるおそれがあるため、吸収コア３と重なる部分が外装シート５に固定された状態で切断されていると好ましいものとなる。他方、吸収コア３の両側方の近傍まで切断されていると、吸収コア３を着用者側に押さえ付ける力が弱くなるため、前述した股間部域Ｋの吸収コア３で形成されるカップが、より深くなり得、尿の一時的な貯留空間の限界容量が増えることになる。ただし、フィット性を重視するのであれば、吸収コア３の両側方の近傍は、切断しない方が好ましい。
【００４３】
吸収コア３の両側方の近傍の具体的な長さは、特に限定されないが、通常０〜３０ｍｍ、好ましくは０〜２０ｍｍである。前記フィット性と前記限界容量とのバランスから適宜設計することができる。
【００４４】
さらに、以上のように弾性伸縮部材１０が複数本の糸状の部材で構成されている場合において、特に、複数本の糸状の部材が並んで配置された構成とされる場合においては、図８に示すように、この複数本の糸状の部材のうち背側に配置されたもの（図示例では３本中２本）の、外装シート５の他方側縁に向かう軌跡（符号１４で示す部分）が、吸収コア３よりも背側を通ると好ましい。この形態によると、かかる吸収コア３の背側を通る弾性伸縮部材１０（１４）の収縮によって外装シート５が陰嚢裏に入り込むことになるため、股間部域Ｋからの尿のいわゆる後ろ漏れが確実に防止される。この後ろ漏れ防止効果は、吸収コア３の背側を通る弾性伸縮部材１０（１４）の伸縮力を調節することによって、適宜調節することができる。
【００４５】
また、以上のように弾性伸縮部材１０が複数本の糸状の部材で構成されている場合において、特に、複数本の糸状の部材が並んで配置された構成とされる場合においては、図９に模式的に示すように、この複数本の糸状の部材のうち腹側に配置されたもの１１Ａは、外装シート５の他方側縁に向かう軌跡（前述した符号１４で示す部分）が、製品の腹部域Ｆと股間部域Ｋとの境界近くを通り、かつ、背腹方向に相互に隣接する糸状の部材の離間距離が、腹側及び背側に配置された糸状の部材１１Ａ，１１Ｃの方がこれらの間に配置された糸状の部材１１Ｂよりも短くされているのが好ましい。腹側に配置された糸状の部材１１Ａの離間距離が短くされていると、同時にそけい部に沿う糸状の部材の離間距離も短くなり収縮力が増すため、そけい部に対する密着性が向上する。他方、背側に配置された糸状の部材１１Ｃの離間距離が短くされていると、弾性伸縮部材１０の符号１４で示した部分の収縮力が増し、外装シート５が陰嚢裏に入り込みやすくなる。また、このように収縮力を強くして、外装シート５を陰嚢裏に入り込みやすくする場合は、この入り込む部分の表面を不織布等で覆っておき、肌触り性を向上させておくのが好ましい。
【００４６】
なお、製品の腹部域Ｆと股間部域Ｋとの境界「近く」とは、厳密にその範囲が限定されるものではないが、本明細書では、境界から０〜５０ｍｍ、好ましくは０〜３０ｍｍと定義する。
【産業上の利用可能性】
【００４７】
本発明は、特に成人男性用の紙おむつとして、適用可能である。
【図面の簡単な説明】
【００４８】
【図１】紙おむつの展開状態の平面図である。
【図２】紙おむつの製品状態の正面図である。
【図３】図１のＩ−Ｉ線断面図及びＩＩ−ＩＩ線断面図である。
【図４】起立ギャザーを有する本体部の平面図である。
【図５】図４のＩＩＩ−ＩＩＩ線断面図である。
【図６】弾性伸縮部材の軌跡及びその効果を説明するための図である。
【図７】弾性伸縮部材の軌跡及びその効果を説明するための図である。
【図８】弾性伸縮部材の配置例を説明するための図である。
【図９】弾性伸縮部材の配置例を説明するための図である。
【図１０】腹部域における吸収体の屈曲を説明するための図である。
【図１１】股間部域における吸収体の屈曲を説明するための図である。
【符号の説明】
【００４９】
１…表面シート、２…裏面シート、３…吸収コア、４…被覆シート、５…外装シート、１０，１２，２１，２２，２３，３２…弾性伸縮部材、２９…接合部、３０…立体ギャザー、３１…ギャザーシート、Ｂ…背部域、Ｆ…腹部域、Ｈ…本体部、Ｋ…股間部域、ＬＯ…レッグ開口部、Ｔ…紙おむつ、Ｗ１…ウエスト部、Ｗ２…腰下部、ＷＯ…ウエスト開口部。
【図１】
2008245841.tif 000003
【図２】
2008245841.tif 000004
【図３】
2008245841.tif 000005
【図４】
2008245841.tif 000006
【図５】
2008245841.tif 000007
【図６】
2008245841.tif 000008
【図７】
2008245841.tif 000009
【図８】
2008245841.tif 000010
【図９】
2008245841.tif 000011
【図１０】
2008245841.tif 000012
【図１１】
2008245841.tif 000013